(57)【要約】【課題】スロット内の信号をシンボル単位で評価する。【解決手段】入力処理部１２で被測定信号ａをシンボルデータＩ，Ｑに変換し、スロット検出部３０でスロットの範囲を検出し、信号解析部４２でスロットに含まれるシンボルデータＩ，Ｑに基づいて変調された信号を解析する。解析結果は解析結果メモリ３８に記憶され、解析結果メモリ３８はシンボル領域指定手段４１で指定されたシンボル領域における解析結果を表示出力部３９に送出し、解析結果が表示器１４に表示される。【選択図】       図１
2005117130.tif 000002
【特許請求の範囲】
【請求項１】
変調された信号が組込まれた複数のスロット（９）が時分割多重化された被測定信号（ａ）における各スロットの信号を解析し、かつ解析結果を表示する表示器（１４）を備えた信号解析装置であって、
前記被測定信号をシンボルデータＩ、Ｑに変換して出力する入力処理部（１２）と、前記入力処理部から出力されたシンボルデータＩ、Ｑの値から前記被測定信号における各スロットの範囲を検出するスロット検出器（３０）と、
前記スロットに含まれるシンボルデータＩ、Ｑに基づいて変調された信号を解析する信号解析部（４２）と、
前記信号解析部で得られた解析結果をシンボル毎に記憶する解析結果メモリ（３８）と、
前記スロットの１または２以上のシンボル領域を指定するシンボル領域指定手段（４１）と、
前記シンボル領域指定手段で指定されたシンボルにおける前記解析結果メモリに記憶された解析結果を前記表示器に表示させる表示出力部（３９）とを含む信号解析装置。
【請求項２】
請求項１記載の信号解析装置であって、
前記シンボル領域指定手段で前記シンボル領域を指定する場合に、
前記表示部に表示された前記スロットの構成を示す第１のバー（４８）と、
前記第１のバーと平行に表示され解析の対象となるシンボル領域に対応したカーソル（５０）を有する第2のバー（４９）と、
前記カーソルにより１又は２以上のシンボルを選択することにより、前記カーソルで選択したシンボル領域を指定することを特徴とする信号解析装置。
【発明の詳細な説明】
【技術分野】
【０００１】
本発明は、位相変調された信号が組み込まれた複数のスロットが、時分割多重化された被測定信号における各スロットの信号を解析する信号解析装置に関する。
【背景技術】
【０００２】
近年、ＰＨＳ（Personal Handy phone System）においても、画像や動画像等の大量の情報（データ）を短時間で高速に送受信する必要性が高まっている。現在実用化されているＰＨＳとの互換性を出来る限り確保しつつ情報（データ）の伝送速度（ｂｐｓ）を上昇させる手法として、情報（データ）のみを高速伝送に対応した変調方式に変調することが考えられる。
【０００３】
以下、ＰＨＳの基本構成と高速伝送に対応するＰＨＳの伝送方式について説明する。
【０００４】
図５は、ＰＨＳ（Personal Handy phone System）システムの構成を模式的に示した図である。図５（ａ）に示す基地局１と各移動局２との間で送受信される信号３には、図５（ｂ）に示すように多数のフレーム４が含まれる。
【０００５】
図６は、基地局が複数の移動局との間で送受信される信号における各フレーム４の構成を示す図である。各フレーム４内には、図６に示すように、基地局１から例えば４台の移動局２へ個別に送信する各信号が組込まれた４つのスロット５と、４台の移動局２から基地局１へ送信する各信号が組込まれた４つのスロット６がＴＤＭＡ（Time Division Multiple Access（時分割多元アクセス））方式で組込まれている。
【０００６】
現在実用化されているＰＨＳにおいては、１フレーム４の時間幅が５ｍｓで、１つのスロット５、６の時間幅が６２５μｓである。基地局１から４台の移動局２に対して５ｍｓ間隔で各種の情報が６２５μｓのスロット５に組込まれたバースト信号として図６に示すタイミングで送信される。各移動局２は基地局１から６２５μｓのスロット５に組込まれたバースト信号を受信した時刻から２．５ｍｓ後に自局の送信情報を６２５μｓのスロット６に組込んだバースト信号として、フレーム４に組込んで基地局１に送信する。
【０００７】
なお、基地局１から４台の移動局２に対して送信する各信号の周波数と４台の移動局２から基地局１へ送信する各信号の周波数は等しい。
【０００８】
さらに、現在実用化されているＰＨＳにおいては、基地局１と４台の移動局２との間で送受信される情報は、π／４シフトＱＰＳＫの変調方式で位相変調された状態で、信号３における６２５μｓの各スロット５に組込まれている。
【０００９】
基地局１と各移動局２との間で送受信される各種の情報は複数種類のチャネルに分割されて、各チャネルが６２５μｓの各スロット５、６に組込まれて送受信される。チャネルの種類は大きく分けて基地局１と各移動局２とで交換される制御情報を組込んだ制御チャネルと、音声や文字や画像等の本来送受信すべき情報を組込んだ情報チャネル（ＴＣＨ）とで構成されている。
【００１０】
図７は、基地局１から各移動局２へ送信される各情報チャネル（ＴＣＨ）のスロット５の構成を示す図である。スロット５のシンボル長は１２０シンボルである。その構成は、先頭に、２シンボルのランプビットＲが設けられ、次に、１シンボルのステータスシンボルＳＳ、３シンボルのプリアンブルＰＲ、８シンボルの同期ワードＵＷ、２シンボルのチャネル情報ＣＩ、４シンボルの低速ＡＣＣＨを指定する情報が続く。そして、８０シンボルの送信すべき情報（データ）Ｉ、４シンボルの誤り検査用ビットＣＲＣが設定される。また、スロット５相互間に８シンボルのガードビットが設けられている。
【００１１】
現在実用化されているＰＨＳにおいては、変調方式にπ／４シフトＱＰＳＫを採用しており、２ビットで１シンボルに相当するので、シンボル速度が例えば１９２ｋspsにおいては、位相変調した場合の情報の伝送速度は１９２ｋｓｐｓ×２ビット＝３８６ｋｂｐｓとなる。
【００１２】
図８は、この基地局１から各移動局２へ送信される情報の位相変調方式に採用されたπ／４シフトＱＰＳＫにおけるＩＱ座標上で示した変調信号の信号空間図である。
π／４シフトＱＰＳＫはＱＰＳＫと同様に１シンボル時刻毎に２ビットずつ情報を伝送する４値伝送方式である。しかし、このπ／４シフトＱＰＳＫは１シンボル時刻毎にπ／４（４５°）位相回転する搬送波軸を用いている。したがって、図８に示すように、シンボルデータＩ、ＱをＩＱ座標上で合成した各信号点７は、偶数番目と奇数番目の各シンボルにおいて図中の白丸と黒丸とを交互にとる。このように変調方式としてπ／４シフトＱＰＳＫを採用することにより、信号点７の遷移において原点を通過しないので非線形伝送路に強い特徴を有する。
【００１３】
一方、近年、画像や動画像等の大容量の情報（データ）を短時間で高速に送受信する必要性が高まっており、ＰＨＳにおいても高速伝送に対応する必要がある。現在実用化されているＰＨＳと互換性を確保しつつ情報（データ）の伝送速度（ｂｐｓ）を上昇させる手法として、情報（データ）のみを位相変調方式から多値変調方式に変更することが考えられる。具体的には、π／４ＱＰＳＫを１６ＱＡＭにすれば良い。
【００１４】
図9は、情報（データ）のみに多値変調方式を採用したスロットの構成を示す図である。
６２５μｓ、１２０シンボルの情報チャネル（ＴＣＨ）のうち、基地局１と各移動局２との間で送受信される信号３の５ｍｓの各フレーム４に組込まれる６２５μｓの各スロット９における、２シンボルのランプビットＲ、合計１３シンボルのステータスシンボルＳＳとプリアンブルＰＲ、８シンボルの同期ワードＵＷとの合計２３シンボル分を前半領域１０とする。また、１シンボルのチャネル情報ＣＩ、８シンボルの低速ＡＣＣＨを指定する情報、８０シンボルの送信すべき情報（データ）Ｉ、４シンボルの誤り検査用ビットＣＲＣとの合計８９シンボル分を後半領域１１とする。なお、後半領域１１の後に８シンボルのガードビットが設けられている。
【００１５】
そして、前半領域１０を従来のπ／４シフトＱＰＳＫで位相変調し、後半領域１１を新規の１６ＱＡＭで位相変調することが考えられる。
【００１６】
図１０は、１６ＱＡＭの位相変調方式におけるＩＱ座標上で示した変調信号の信号空間図である。この１６ＱＡＭは１シンボル時刻毎に４ビットずつ情報を伝送する１６値伝送方式である。従って、図１０に示すように、Ｉ，ＱをＩＱ座標上で合成した各信号点８は１６箇所に現れる。
【００１７】
この場合、位相変調方式を採用した場合におけるシンボル速度が１９２ｋspsにおいては、１６ＱＡＭの変調方式を採用した場合、４ビットで１シンボルに相当するので、位相変調した場合の情報（データ）の伝送速度は１９２ｋsps×４＝７６８ｋbpsとなる。これにより、従来の倍の伝送速度を確保することが可能となる。
【００１８】
このように、前半部の変調方式を現行と同じπ／４シフトＱＰＳＫを採用し、後半部の情報（データ）については１６ＱＡＭを採用することで、現行方式と、極力、互換性を確保しつつ高速伝送が実現可能となる。
【００１９】
ここで、１スロット内に異なる変調方式が採用された信号が含まれている場合、各領域に含まれる各信号が変調に関する各種規格にあった信号であるかを検査する必要が生じる。
この評価方法として、同一出願人は、信号解析装置において、前半領域と後半領域とに信号を区分して、各々の変調方式に対応した解析部で信号を解析する方法を提案している（例えば、特許文献１参照）。
【００２０】
具体的には、入力処理部で被測定信号をＩ、Ｑデータに変換した後、予め与えられたスロット内の位置（ビット位置、シンボル位置）に従って、第１の位相変調方式が採用された第１の解析領域と第２の位相変調方式が採用された第２の解析領域とに区分され、第１、第２の信号解析部にて第１、第２の位相変調方式で変調された各信号が解析される。そして、各解析結果は表示器に表示出力される。
【特許文献１】特願平２００３−１２２３７４
【発明の開示】
【発明が解決しようとする課題】
【００２１】
しかしながら、当該発明により異なる変調方式が採用された各信号領域毎に信号の劣化を解析できたとしても、どの位置で、具体的にはどのシンボルに不具合が発生しているのかまでは解析できない。特に、異なる変調方式を含む場合、変調方式が切り替わる前後のシンボルで信号の劣化が発生することが多々あり、そのような場合、シンボル毎の信号状態まで解析する必要が生じる。
【００２２】
本発明はこのような事情に鑑みてなされたものであり、シンボル単位で信号を評価できる信号解析装置を提供することを目的としている。
【課題を解決するための手段】
【００２３】
本発明は、位相変調された信号が組み込まれた複数のスロットが、時分割多重化された被測定信号における各スロットの信号を解析し、かつ、解析結果を表示する表示器を備えた信号解析装置である。
【００２４】
そして、この信号解析装置は、被測定信号をシンボルデータＩ、Ｑに変換して出力する入力処理部と、入力処理部から出力されたシンボルデータＩ、Ｑの値から被測定信号における各スロットの範囲を検出するスロット検出部と、
前記スロットに含まれるシンボルデータＩ、Ｑに基づいて変調された信号を解析する信号解析部と、信号解析部で得られた解析結果をシンボル毎に記憶する解析結果メモリと、スロットのうち所望のシンボル領域を指定するシンボル領域指定手段と、シンボル領域指定手段で指定されたシンボルにおける前記解析結果メモリに記憶された解析結果を前記表示器に表示させる表示出力部とを含む。
【００２５】
このように構成された信号解析装置においては、入力された被測定信号は入力処理部でシンボルデータＩ、Ｑに変換される。次に、スロット検出部にて、シンボルデータＩ、Ｑの値に基づいて被測定信号における各スロットの範囲を検出する。具体的には、シンボルデータＩ、Ｑの値の立上り位置を検出する。
【００２６】
そして、信号解析部にて、各シンボルデータＩ、Ｑの値に基づいて各信号が解析される。この各信号の解析結果は解析結果メモリに記憶される。そして、この解析結果メモリに記憶された解析結果のうち、シンボル領域指定手段によって指示された１または２以上のシンボル領域の解析結果がシンボル領域選択部によって選択される。選択された解析結果は表示器に出力される。
【００２７】
また、別の発明は上述した信号解析装置であって、シンボル領域指定手段で前記シンボル領域を指定する場合に、表示部に表示された前記スロットの構成を示す第１のバーと、第１のバーと平行に表示され解析の対象となるシンボル領域に対応したカーソルを有する第2のバーと、カーソルにより１又は２以上のシンボルを選択することにより、カーソルで選択したシンボル領域を指定することを特徴とする。
【発明の効果】
【００２８】
以上説明したように、本発明の信号解析装置によれば、スロット内の１または２以上のシンボル領域を指定し、信号状態をシンボル単位で評価することできる。従って、信号の劣化等が発生した場合に、スロット単位で信号状態を評価するのに比べ、原因究明が迅速に行うことができる。
【００２９】
また、測定対象であるシンボル領域の指定は、表示画面上で表示されるスロット構成を示すバーと平行して表示されたバー上でカーソル指示により視覚的に行なうので、シンボル領域の指定を簡易に行なうことができ、作業効率の改善ができ、また、指示ミスを防止することが出来る。
【発明を実施するための最良の形態】
【００３０】
（第１の実施形態）図１は本発明の第1の実施形態に係る信号解析装置の概略構成を示すブロック図である。
【００３１】
この実施形態に係る信号解析装置が測定対象とするＰＨＳシステム及び被測定信号のスロット構成図は、図５、図９に示すＰＨＳシステム及びスロット構成図と同じであるので詳細説明を省略する。
【００３２】
この実施形態に係る信号解析装置は、基地局１から出力された図９に示したスロット９が組込まれた被測定信号ａが入力され、入力された被測定信号ａからシンボルデータＩ、Ｑを出力する入力処理部１２と、この入力処理部１２から出力されたシンボルデータＩ、Ｑを用いて被測定信号ａにおける各スロット９の１または２以上のシンボル領域の信号解析を実行するデータ処理部１３と、データ処理部１３で得られた被測定信号ａにおける１または２以上のシンボル領域の信号解析結果を表示する表示器３８とで構成されている。
【００３３】
図５に示したように、基地局１と各移動局２との間で送受信される信号３である被測定信号ａにおける５ｍｓの各フレーム４に組込まれる６２５μｓの各スロット９における、２３シンボル分の前半領域１０はπ／４シフトＱＰＳＫで位相変調され、８９シンボル分の後半領域１１は１６ＱＡＭで位相変調されている。
【００３４】
高周波の被測定信号ａは入力端子１５を介して入力処理部１２内に入力され、減衰器１６で信号レベルが調整されたのち、周波数変換部１７で局部発振器（ＬＯＯＳＣ）７からの周波数信号に基づいて例えば１６ＭHzの中間周波数に周波数変換された後、バンドパスフィルタ１９で不要周波数成分が除去され、Ａ／Ｄ変換器２０で例えば６４ＭHzのサンプリング周波数でＡ／Ｄ変換される。
【００３５】
Ａ／Ｄ変換されたデジタルの被測定信号ａは一対のＤＢＭ（Double Balance Mixer）２１、２２へ入力される。一方のＤＢＭ２１には発振器２３からサイン波データが入力され、他方のＤＢＭ２２には発振器２３から９０°移相器２４を介したコサイン波データが入力される。したがって、デジタルの被測定信号ａはＩ（同相成分）データとＱ（直交成分）データとに直交復調され、同時にベースバンド変換される。
【００３６】
ＩデータとＱデータとはローパスフィルタ２５、２６で不要周波数成分が除去され、周波数変換部２７、２８で１９８ｋHzのＩデータとＱデータ、すなわちシンボル伝送速度が１９８ｋspsのシンボルデータＩ、Ｑに変換される。シンボル伝送速度が１９８ｋspsのシンボルデータＩ、Ｑは、例えばＮフレーム分、Ｉ、Ｑデータメモリ２９へ書込まれる。このＩ、Ｑデータメモリ２９に書込まれたシンボルデータＩ、Ｑは順次読出されて次のデータ処理部１３へ入力される。
【００３７】
例えば、ＤＳＰ（Digital Signal Processor）で構成されたデータ処理部１２へ入力されたシンボルデータＩ、Ｑはスロット検出部３０へ入力される。スロット検出部３０は、スロット９相互間に設けられた無信号の８シンボルのガードビットに続く、ランプビットＲを検出することによって、順次入力されるシンボルデータＩ、Ｑにおける各スロット９の開始位置と終了位置とからなる範囲を検出して、順次入力されるシンボルデータＩ、Ｑをスロット９単位毎でスロット波形メモリ３１へ格納する。
【００３８】
したがって、スロット波形メモリ３１内には、スロット９相互間の無信号である８シンボルのガードビットを含めてそれぞれ１２０シンボル長のスロット９のそれぞれ１２０個のシンボルデータＩ、Ｑが記憶されている。
【００３９】
信号解析部４２は、スロット波形メモリ３１に記憶された信号を解析する。信号解析部４２は、各シンボルデータＩ、Ｑを用いてそれぞれの位相変調方式に対応した変調解析（コンスタレーション）、変調誤差、振幅誤差、位相誤差、原点オフセット、変調精度等の信号解析を実施する。これらの各信号解析方法を１６ＱＡＭの位相変調方式を例にして図２を参照して説明する。
【００４０】
図２は、１６ＱＡＭの位相変調方式を例にして各信号解析方法を説明する図である。
変調解析（コンスタレーション）は、図２（ａ）に示すように、８９組のシンボルデータＩ、ＱをＩＱ座標上で合成した１６個の各信号点８を求める。変調誤差（ＥＶＭ  エラー・ベクトル・マグニチュード）は、図２（ｂ）に示すように、ＩＱ座標上における理論的な信号点４６と実測された信号点８との間のエラー・ベクトルの大きさを絶対値で示したものである。
【００４１】
振幅誤差（ＭＥ）は、図２（ｂ）に示すように、ＩＱ座標上における原点と理論的な信号点４６までの理論ベクトルの絶対値と、原点と実測された信号点８までの実測ベクトルの絶対値との差で示される。位相誤差（ｄｅｇ）は、図２（ｂ）に示すように、ＩＱ座標上における原点と理論的な信号点４１までの理論ベクトルと、原点と実測された信号点８までの実測ベクトルとの角度φで示される。
【００４２】
原点オフセットは、図２（ｄ）に示すように、ＩＱ座標上における測定された１６個の信号点８から求められる測定原点が理論的な原点に対してどの程度ずれているかを示すものである。変調精度は、図２（ｃ）に示すように、ＩＱ座標上で合成した各信号点８のバラツキの程度を統計的に求めたものである。
【００４３】
なお、π／４シフトＱＰＳＫの位相変調方式で変調された信号に対する信号解析も１６ＱＡＭの位相変調方式で変調された信号に対する信号解析とほぼ同じである。
【００４４】
信号解析部４２で得られた信号解析結果は解析結果メモリ３８へ書き込まれる。
解析結果メモリ３８は、スロット９単位の解析結果またはシンボル領域指定手段４１から指定された１または２以上のシンボル領域の信号の解析結果を表示出力部３９へ送出する。
【００４５】
表示出力部３９は、例えば操作パネル等の操作部４０を用いた操作者の指示に基づいて、解析結果メモリ３８に記憶された解析結果を読み出して、表示器１４に表示出力する。
【００４６】
図３は各解析結果が表示出力された表示器１４の表示画面４４の一例を示す図である。この例においては、表示画面の上段に、指定されたシンボル領域の変調解析（コンスタレーション）４５と、スロットの全領域の変調解析（コンスタレーション）４６とが表示されている。
【００４７】
表示画面の中段には、選択された１または２以上のシンボル領域の変調誤差、振幅誤差、位相誤差、原点オフセット等の解析結果と、スロット９全領域の解析結果との解析結果一覧表４７が表示されている。
【００４８】
表示画面の下段には、被測定信号のスロット構成を示すスロット構成バー４８が表示されている。スロット構成バー４８の下には測定対象となる１または２以上シンボルの指定領域を表示する領域指定バー４９がスロット構成バー４９と平行に表示されている。領域指定バー４９上には操作者が表示対象となる１または２以上のシンボル領域を指定するカーソル５０が表示されている。
【００４９】
そして、操作者がカーソル５０で領域指定バー４９上の任意の位置を指示すると、その位置に対応したシンボルが表示対象として指定される。指定されたシンボル領域を受けてシンボル領域指定手段４１が解析結果メモリ３８へ表示対象となるシンボル領域を指示する。解析結果メモリ３８は指定されたシンボル領域のシンボルデータＩ，Ｑを選択し、表示出力部３９へ送出する。
【００５０】
なお、カーソル５０により複数のシンボルを選択することにより、複数のシンボル領域（例えば、連続、離散（この場合色を変えて表示する））のシンボルデータＩ，Ｑを表示できる。
【００５１】
図４は、１スロット内に異なる変調方式が採用された信号が含まれている場合の概略構成を示すブロック図である。以下、後半領域１１に１６ＱＡＭを採用したＰＨＳシステムを例に説明する。
【００５２】
解析領域区分部３２は、スロット波形メモリ３１に記憶されている１２０シンボル長のスロット９におけるπ／４シフトＱＰＳＫの位相変調方式が採用された第１の解析領域としての前半領域１０と、１６ＱＡＭの位相変調方式が採用された第２の解析領域としての後半領域１１とに区分する。具体的には、スロット９の先頭から２３シンボル目までの２３シンボルを前半領域１０とし、２４シンボル目から１１２シンボル目までの８９シンボルを後半領域１１とする。解析領域区分部３２は区分した前半領域１０を前半領域メモリ３３へ書込むと共に、区分した後半領域１１を後半領域メモリ３4へ書込む。
【００５３】
第１の信号解析部３５は、前半領域メモリ３３に書込まれた２３シンボル分のシンボルデータＩ、Ｑに基づいてスロット９における前半領域１０内におけるπ／４シフトＱＰＳＫの位相変調方式で変調された信号を解析する。
【００５４】
また、第２の信号解析部３６は、後半領域メモリ３４に書込まれた８９シンボル分のシンボルデータＩ、Ｑに基づいてスロット９における後半領域１１内における１６ＱＡＭの位相変調方式で変調された信号を解析する。
【００５５】
第１、第２の信号解析部３５、３６は、各シンボルデータＩ、Ｑを用いてそれぞれの位相変調方式に対応した変調解析（コンスタレーション）、変調誤差、振幅誤差、位相誤差、原点オフセット、変調精度等の信号解析を実施する。
【００５６】
（第２の実施形態）  図１１は本発明の第２の実施形態に係る信号解析装置の概略構成を示すブロック図である。
【００５７】
第１の実施形態では、記憶した解析結果メモリ３８から、該当のシンボル領域の解析結果を読み出し、表示することを説明した。
【００５８】
第２の実施形態では、シンボル領域指定手段４１で指定されたシンボルを、スロット検出部３０で検出したスロット先頭から該当するシンボルを選択し、その該当するシンボルの特性を信号解析部４２で解析し、表示することもできる。
【００５９】
これは、スロット検出部３０が、シンボル領域指定手段４１のシンボルを指定した信号を入力することにより、スロット波形メモリ３１から、１スロット分の波形メモリと、該当シンボルの波形メモリを出力する。信号解析部４２はそれぞれの波形メモリを受領し、該当シンボルと、スロット全体の特性を解析し、解析結果メモリ３８に出力する。
【００６０】
（第３の実施形態）  図１２は本発明の第３の実施形態に係る信号解析装置の概略構成を示すブロック図である。
【００６１】
信号解析部４２がシンボル領域指定手段４１のシンボルを指定した信号を入力することにより、１スロット分の波形メモリから該当シンボルを抽出し、該当シンボルと、スロット全体の特性を解析し、解析結果メモリ３８に出力する。
【００６２】
（第４の実施形態）  図１３は本発明の第４の実施形態に係る信号解析装置の概略構成を示すブロック図である。図１４は本発明の第４の実施形態に係る信号解析装置の表示器に表示された表示方法を示す図である。
【００６３】
第１〜第３の実施形態では、該当シンボルと、スロット全体の変調解析データを表示していた。
【００６４】
第４の実施形態では、理想変調解析データ発生部５１から、それらの理想変調解析データを生成し、理想変調解析データに基づく理想信号点４３と実測された信号点８とを同時に表示する。これにより、測定した変調解析データの理論点からのズレが目視で判断できる。
【００６５】
なお、上記の第１〜第４の実施形態に係る発明はＰＨＳに限定されるものでなく、ＰＨＳ以外の他の通信システムで採用されている位相変調された信号にも適用できることは言うまでもない。
【図面の簡単な説明】
【００６６】
【図１】本発明の第1の実施形態に係る信号解析装置の概略構成を示すブロック図
【図２】同実施形態の信号解析装置における信号解析方法を示す図
【図３】同実施形態における信号解析装置の表示器に表示された表示方法を示す図
【図４】１スロット内に異なる変調方式が採用された信号が含まれている場合の信号解析装置の概略構成を示すブロック図
【図５】ＰＨＳの基本構成を示す図
【図６】基地局と移動局との間で送受信される信号における各フレームの基本構成を示す図
【図７】基地局と移動局との間で送受信される信号における各フレーム内のスロット構成を示す図
【図８】π／４ＱＰＳＫにおけるＩＱ座標上の信号点を示す図
【図９】基地局と移動局との間で送受信される信号における各フレーム内のスロット構成を示す図
【図１０】１６ＱＡＭにおけるＩＱ座標上の信号点を示す図
【図１１】本発明の第２の実施形態に係る信号解析装置の概略構成を示すブロック図
【図１２】本発明の第３の実施形態に係る信号解析装置の概略構成を示すブロック図
【図１３】本発明の第４の実施形態に係る信号解析装置の概略構成を示すブロック図
【図１４】本発明の第４の実施形態に係る信号解析装置の表示器に表示された表示方法を示すブロック図。
【符号の説明】
【００６７】
１…基地局、２…移動局、３…信号、４…フレーム、７，８…信号点、９…スロット、１０…前半領域、１１…後半領域、１２…入力処理部、１３…データ処理部、１４…表示器、１７，２７，２８…周波数変換部、２９…Ｉ、Ｑデータメモリ、３０…スロット検出部、３８…解析結果メモリ、３９…表示出力部、４０…操作部、４１…シンボル領域指定手段、４２…信号解析部、４３…理想信号点、４５，４６…変調解析（コンスタレーション）、４７…解析結果一覧表、４８…スロット構成バー、４９…領域指定バー、５０…カーソル、５１…理想変調解析データ発生部。
【図１】
2005117130.tif 000003
【図２】
2005117130.tif 000004
【図３】
2005117130.tif 000005
【図４】
2005117130.tif 000006
【図５】
2005117130.tif 000007
【図６】
2005117130.tif 000008
【図７】
2005117130.tif 000009
【図８】
2005117130.tif 000010
【図９】
2005117130.tif 000011
【図１０】
2005117130.tif 000012
【図１１】
2005117130.tif 000013
【図１２】
2005117130.tif 000014
【図１３】
2005117130.tif 000015
【図１４】
2005117130.tif 000016